(57)【要約】【課題】  電子部品の巻線の端末の破断を防止すること。【解決手段】この電子部品１０は、巻線１２を保持する基台１３と、基台１３に取り付けられる端子部１８と、巻線１２の端末２１をテンションを保持した状態で端子部１８に接続させる機能を持つと共に、接続後にそのテンションを軽減または吸収する弛み調整部２０とを有する。【選択図】  図１
2005286182.tif 000002
【特許請求の範囲】
【請求項１】
巻線を保持する基台と、
上記基台に取り付けられる端子部と、
上記巻線の端末をテンションを保持した状態で上記端子部に接続させる機能を持つと共に、接続後に上記テンションを軽減または吸収する弛み調整部と、
を有することを特徴とする電子部品。
【請求項２】
前記弛み調整部は、非加熱状態ではその形状を維持すると共に、加熱により熱溶解する部材で構成することを特徴とする請求項1記載の電子部品。
【請求項３】
前記弛み調整部は、折り曲げまたは切り取りまたは取り外し可能な突出部であることを特徴とする請求項１記載の電子部品。
【請求項４】
前記弛み調整部は弾性体からなることを特徴とする請求項１記載の電子部品。
【請求項５】
前記巻線の端末が前記弛み調整部を介することで迂回されて前記端子部に接続され、前記端子部に接続された後に、前記弛み調整部の変位または除去により、前記端子部に対して前記巻線の端末が弛んだ状態で接続されていることを特徴とする請求項１記載の電子部品。
【請求項６】
巻線を保持する基台と、
上記基台に取り付けられる端子部と、
テンションを持った状態で上記端子部に接続されると共にそのテンションが接続後には軽減または吸収される状態とされた上記巻線の端末部と、
を有することを特徴とする電子部品。
【請求項７】
基台に保持された巻線の端末が端子部に接続される電子部品の製造方法において、
上記端末を迂回させてかつテンションを持った状態で上記端子部に接続させ、接続後にその迂回させている部材の変位または除去により上記端末のテンションを軽減させたことを特徴とする電子部品の製造方法。
【発明の詳細な説明】
【技術分野】
【０００１】
本発明は、巻線を有する電子部品および当該電子部品の製造方法に関する。
【背景技術】
【０００２】
従来から、電子部品の一種であるトランスは、巻線と、端子付き巻枠とから構成されている。端子付き巻枠は、巻芯と端子支持部と端子部とを有している。一般的な端子付き巻枠の端子部に巻線を接続する方法としては、巻線を巻心から引き出し、直接端子部に接続する方法が採用されている。
【０００３】
トランスを構成する端子付き巻枠としては、特許文献１に示すようなものが知られている。図７に特許文献１記載の端子付き巻枠８０の斜視図を示す。また、図８に、端子付き巻枠８０の端子部８３周辺の拡大斜視図を示す。図７に示すように、端子付き巻枠８０は、巻芯８１と、該巻芯８１の両端に取り付けられたフランジ８２ａ、８２ｂと、端子部８３と、巻線引き出し溝８４および突起部８５ａ、８５ｂとを有する端子支持部８６とから構成され、端子支持部８６の端子部８３が埋め込まれた面と突起部８５ａ、８５ｂが設けられた面とにかけて、傾斜部８７が設けられている（図８参照）。傾斜部８７は凹状の溝となっていて、ピン端子植設面８８に対して傾斜部８７が形成する傾斜角は鈍角となっている。
【０００４】
図９は、端子付き巻枠８０に巻線８９を施した際の端子付き巻枠８０の端子部８３周辺の拡大斜視図を示す。巻線８９の端子部８３への接続は、巻芯８１から引き出された巻線８９が、巻線引き出し溝８４、突起部８５ｂおよび傾斜部８７を通り端子部８３に絡げられ、再び巻線８９は、傾斜部８７、突起部８５ａおよび巻線引き出し溝８４を通り巻芯８１に巻かれることで行われる。
【０００５】
【特許文献１】特開平８−１７６５４号公報（要約書）
【発明の開示】
【発明が解決しようとする課題】
【０００６】
特許文献１に示される端子付き巻枠８０では、傾斜部８７を設けることにより巻線８９が端子支持部８６から外れることを防止しているが、巻線８９を引っ張って端子部８３に絡げているので、絡げ作業が完了したときには、絡げられた巻線８９にはテンションがかかった状態となっている。このような構造のトランスは、テンションがかっているため、巻線８９が熱衝撃を受けると、巻線８９に破断が生じやすいものとなっている。すなわち、トランス等の電子部品の使用/不使用時には、温度変化に伴って巻線８９および巻芯８１が膨張/収縮するが、その際に巻線８９に上述のテンション以上の力が加わることがあり、破断が生じることがある。
【０００７】
本発明は、上記の事情にもとづきなされたもので、その目的とするところは、断線しづらい電子部品および電子部品の製造方法を提供しよう、とするものである。
【課題を解決するための手段】
【０００８】
上記課題を解決するために、本発明の電子部品は、巻線を保持する基台と、基台に取り付けられる端子部と、巻線の端末をテンションを保持した状態で端子部に接続させる機能を持つと共に、接続後にテンションを軽減または吸収する弛み調整部とを有するものである。
【０００９】
このように構成した場合には、基台に巻線を取り付け、該巻線の端末を弛み調整部を介して端子部に接続した後、弛み調整部を変位させまたは除去することにより接続後の端末のテンションを緩和することができる。よって、巻線の端末を端子部に弛んだ状態で接続させることが可能となる。
【００１０】
さらに、他の発明は、上述の発明に加えて更に、弛み調整部を、非加熱状態ではその形状を維持すると共に、加熱により熱溶解する部材で構成したものである。このように構成した場合には、巻線を端子部に接続した後、弛み調整部を溶解させて取り除くことが可能となり、容易に接続後の巻線の端末のテンションを緩和することができる。
【００１１】
また、他の発明は、上述の発明に加えて更に、弛み調整部を、折り曲げまたは切り取りまたは取り外し可能な突出部としたものである。このように構成した場合には、巻線を端子部に接続した後、弛み調整部を変位させまたは除去するという容易な作業で、接続後の巻線の端末のテンションを緩和することができる。
【００１２】
さらに、他の発明は、上述の発明に加えて更に、弛み調整部は弾性体からなるものである。このように構成した場合には、巻線の端子部への接続時には、巻線の端末が弛み調整部に接しているので巻線の端末にはテンションがかかることとなるが、弛み調整部を弾性体とすることで、接続時の巻線の端末にかかるテンションも緩和することができる。しかも、仮に巻線に熱収縮がかかったとしても弾性体の弾性力によってテンションの増加を抑制することができる。
【００１３】
また、他の発明は、上述の発明に加えて更に、巻き線の端末が弛み調整部を介することで迂回されて端子部に接続され、端子部に接続した後に、弛み調整部の変位または除去により、端子部に対して巻線の端末が弛んだ状態で接続されているものである。
【００１４】
このように構成した場合には、巻線の端末の接続後、巻線が熱膨張した後、放熱されて熱収縮したような場合であっても、巻線の端末にテンションがかかることを回避できる。よって、巻線の端末の熱衝撃による破断を防止することができる。
【００１５】
また、他の発明の電子部品は、巻線を保持する基台と、基台に取り付けられる端子部と、テンションを持った状態で端子部に接続されると共にそのテンションが接続後には軽減または吸収される状態とされた巻線の端末部とを有するものである。
【００１６】
このように構成した場合には、巻線の接続後、巻線の端末は緩んだ状態となっている。そのため、仮に、接続後の巻線が熱膨張した後、放熱されて熱収縮した場合であっても、巻線の端末にテンションがかかることを回避できるため、巻線の端末が熱衝撃によって破断するのを防止することができる。
【００１７】
また、本発明の電子部品の製造方法は、基台に保持された巻線の端末が端子部に接続される電子部品を製造する方法において、端末を迂回させてかつテンションを持った状態で端子部に接続させ、接続後にその迂回させている部材の変位または除去により端末のテンションを軽減させたものである。
【００１８】
この製造方法を採用した場合には、巻線の端末を弛んだ状態で端子部に接続できるため、接続後、仮に、巻線が熱膨張した後、放熱されて熱収縮した場合であっても、巻線の端末にテンションがかかることを回避できる。よって、巻線の端末の熱衝撃による破断を防止することができる。
【発明の効果】
【００１９】
本発明によると、電子部品の巻線の端末が破断してしまうのを防止することができる。
【発明を実施するための最良の形態】
【００２０】
以下、本発明の第１の実施の形態に係る電子部品１０について、図１および図２に基づいて説明する。図１は、弛み調整部２０を除去する前の電子部品１０を示す図であり、（ａ）はその正面図であり、（ｂ）はその側面図である。図２は、弛み調整部２０を除去した後の電子部品１０を示す図であり、（ａ）はその正面図であり、（ｂ）はその側面図である。
【００２１】
図１に示すように、電子部品１０は、コイル巻枠１１と巻線１２から構成されている。そして、コイル巻枠１１は、基台１３と、巻芯１４と、端子部１８と、弛み調整部２０とを有している。なお、コイル巻枠１１自体が電子部品ともなりえる。また、巻芯１４の図１における上方側には、不図示のつば部またはコア部材といった巻線１２を上方から押さえる押さえ手段が設けられている。
【００２２】
コイル巻枠１１の基台１３には巻芯１４が設けられており、また、基台１３には、端子部１８が取り付けられている。そして、基台１３の巻芯１４と端子部１８の間には、巻線１２の端子部１８への接続時に、巻線１２が迂回するように、弛み調整部２０が配設されている。弛み調整部２０は、基台１３の上端面から離れる方向に突出するように設けられている。この弛み調整部２０は、折り曲げ、切り取り、または取り外し可能な構成となっている。
【００２３】
図１は、弛み調整部２０を除去する前の電子部品１０を示しており、巻芯１４には巻線１２が巻きつけられており、巻芯１４から引き出された巻線１２の一端の端末２１（以下、単に端末２１という）が弛み調整部２０を介することで迂回するように端子部１８に接続されている。なお、巻線１２の他端の端末は、他の端子部に接続されている（図示省略）。巻線１２の端末２１は、弛み調整部２０とテンションを持った状態で接し、かつそのテンションが維持された状態で端子部１８に接続されている。
【００２４】
図２は、弛み調整部２０を除去した後の電子部品１０の状態を示しており、上述したように、巻芯１４には巻線１２が巻きつけられている。しかし、図２では弛み調整部２０を取り除くことで、巻線１２は、その端末２１にかかっていたテンションが取り除かれ、端子部１８に弛んだ状態で接続されている。
【００２５】
次に、電子部品１０の製造方法を説明する。
【００２６】
まず、巻芯１４にコイル線を巻くことで巻線１２を形成する。巻線１２を形成した後、その端末２１を端子部１８に巻きつける。その後、巻きつけた部分にハンダを施すなどして端子部１８に端末２１を固定することで第１段階の接続が完了する。その後、弛み調整部２０を変形させたり除去することで第２段階の接続が完了する。
【００２７】
さらに詳細に端末２１の端子部１８への接続方法を説明することとする。コイル巻枠１１には巻線１２と端子部１８の間であって、巻線１２の端子部１８への接続時に、巻線１２を迂回させることとなる位置に、弛み調整部２０が配設してある。巻線１２の端末２１は、弛み調整部２０を介することで迂回させられて、端子部１８に接続させられる。この状態では、巻線１２の端末２１は、弛み調整部２０に接する形で端子部１８に接続されており、端末２１にはテンションがかかった状態となっている。この状態となったことで第１段階の接続作業が完了する。
【００２８】
その後、端末２１にテンションがかかった状態で、弛み調整部２０を、折り曲げたり、切り取ったり、または取り外したりすることにより、弛み調整部２０を変形させたりまたは除去する。そうすることで、巻線１２の端末２１は弛み調整部２０とゆるく接触または全く接触しなくなり、端末２１にかかっていたテンションが取り除かれ、巻線１２の端末２１は弛んだ状態で端子部１８に接続されることとなり、第２段階の接続が完了する。
【００２９】
以上のように構成された電子部品１０では、巻芯１４と端子部１８の間に、巻線１２を端子部１８と接続する際に、巻線１２の端末２１を迂回させるように、基台１３に弛み調整部２０を配設している。よって、端末２１が弛み調整部２０を迂回して端子部１８に接続され、その後に弛み調整部２０を変形または除去することにより、巻線１２の端末２１にかかったテンションを緩和することができる。よって、巻線１２の端末２１は、端子部１８に弛んだ状態で接続させられる。
【００３０】
また、第１の実施の形態に係る電子部品１０では、第２段階の接続完了後は、巻線１２の端末２１は端子部１８に対して弛んだ状態で接続されている。このため、たとえば電子部品１０の温度が上昇することで、巻線１２が一旦熱膨張し、その後、巻線１２の放熱により巻線１２が熱収縮しても、巻線１２の弛みの存在により端末２１にテンションがかかることはない。よって、電子部品１０は、熱衝撃による端末２１の破断が生じないものとなる。
【００３１】
また、第１の実施の形態に係る電子部品の製造方法は、巻線１２と端子部１８の間に、弛み調整部２０を配設し、該弛み調整部２０により巻線１２の端末２１を迂回させて端子部１８に接続させ、その後、弛み調整部２０を折り曲げまたは除去している。このような製造方法で端末２１を端子部１８に接続した場合には、弛み調整部２０を折り曲げまたは除去するという容易な作業で、巻線１２の端末２１にかかるテンションを取り除くことができる。
【００３２】
また、第１の実施の形態に係る製造方法では、弛み調整部２０を、折り曲げまたは切り取りまたは取り外し可能な突出部としている。弛み調整部２０をこのような構成とすることにより、簡単な方法（折り曲げまたは切り取りまたは取り外し）で弛み調整部２０を変形させまたは除去することが可能となり、接続後の巻線１２の端末２１のテンションを容易に緩和することができる。
【００３３】
次に、本発明の第２の実施の形態に係る電子部品４０について、図３および図４に基づいて説明する。図３は、弛み調整部４２を除去する前の電子部品４０を示す図であり、（ａ）はその正面図であり、（ｂ）はその側面図である。図４は、弛み調整部４２を除去した後の電子部品４０を示す図であり、（ａ）はその正面図であり、（ｂ）はその側面図である。また、第１の実施の形態と同一の部材、同一の部分には同一の符号を付すと共にその説明を省略または簡略化する。
【００３４】
図３に示すように、電子部品４０は、コイル巻枠４１と巻線１２から構成されている。そして、コイル巻枠４１は、基台１３と、巻芯１４と、端子部１８と、弛み調整部４２とを有している。なお、コイル巻枠４１自体が電子部品ともなり得る。また、巻芯１４の図３における上方側には、不図示のつば部またはコア部材といった巻線１２を上方から押さえる押さえ手段が設けられている。
【００３５】
第２の実施の形態においても第１の実施の形態と同様に、コイル巻枠４１の基台１３には巻芯１４が形成されており、また、基台１３には、端子部１８が取り付けられている。そして、基台１３の巻芯１４と端子部１８の間には、巻線１２の端子部１８への接続時に、巻線１２が迂回することとなるように、弛み調整部４２が配設されている。この実施の形態では、端末２１が弛み調整部４２の上をまたぐように配設されることで弛み調整部４２が無い場合と比べ端末２１の長さが長くなり、結果として迂回していることとなる。なお、弛み調整部４２はロウまたはグリス等のように熱をかける（加熱）と溶解可能な部材（材質）から構成されている。
【００３６】
電子部品４０においては、第１の実施の形態の場合と同様に、巻線１２の一端の端末２１が弛み調整部４２を介して端子部１８に接続されており、他端の端末は他の端子部に接続されている（図示省略）。巻線１２の端末２１は、弛み調整部４２の上部と接した状態で端子部１８に接続されることでテンションを持った状態となっている。その後、加熱することで弛み調整部４２を除去すると、巻線１２の端末２１には、第１の実施の形態と同様に、テンションがかかることなく、端子部１８に弛んだ状態で接続された状態となる。
【００３７】
電子部品４０の製造方法は、電子部品１０の製造方法と略同一である。異なる点は弛み調整部４２の扱いである。巻線１２の端子部１８への接続方法は、第１の実施の形態の場合と同様に、巻線１２の端末２１を弛み調整部４２を介して迂回させて、端子部１８に接続させる。この状態では、端末２１は、図３（ｂ）で示すように弛み調整部４２の上部に接する形で端子部１８に接続されており、端末２１にはテンションがかかった状態となっている。この状態が第１段階の接続完了状態である。
【００３８】
その後、端末２１にテンションがかかった状態で、弛み調整部４２に熱を加えることで、弛み調整部４２を溶解させて除去する。この熱は、ロウの場合ロウが溶ける温度とされ、グリスの場合、グリスが溶ける温度とされる。このようにすることで、端末２１にかかっていたテンションが取り除かれ、巻線１２の端末２１は弛んだ状態で端子部１８に接続されることとなる。この状態が第２段階の接続完了状態である。溶融（溶解）温度としては４０〜３００℃のものが好ましく、６０〜１５０℃の範囲のものが扱いやすさの面でさらに好ましい。よって、上述の温度で溶ける部材を弛み調整部４２の材料として採用するのが好ましい。
【００３９】
以上のように構成された電子部品４０では、巻芯１４と端子部１８の間に、巻線１２を端子部１８と接続する際に、巻線１２の端末２１を迂回させるように、基台１３に弛み調整部４２を配設している。よって、端末２１が弛み調整部４２を迂回して端子部１８に接続されることで、弛み調整部４２を加熱溶解して除去することにより、巻線１２の端末２１にかかったテンションを緩和することができる。よって、巻線１２の端末２１は、端子部１８に弛んだ状態（すなわち巻線１２に弛みが存在する状態）で接続させられ、熱衝撃に対して強いものとなる。
【００４０】
また、第２の実施の形態に係る製造方法は、巻線１２と端子部１８の間に、熱をかけると溶解可能なロウまたはグリス等からなる溶解可能な弛み調整部４２を配設し、該弛み調整部４２により巻線１２の端末２１を迂回させて端子部１８に接続させ、その後、弛み調整部４２を溶解させて除去している。このような製造方法で端末２１を端子部１８に接続した場合には、弛み調整部４２を加熱溶解するという容易な作業で、巻線１２の端末２１にかかるテンションを取り除くことができる。
【００４１】
以上、本発明の各実施の形態について説明したが、本発明はこれ以外にも種々変形可能となっている。以下、それについて述べる。
【００４２】
上述の第１の実施の形態の弛み調整部２１の材質を固い部材とするのではなくゴムや樹脂材からなる弾性体としても良い。また、第２の実施の形態の弛み調整部４２をシリコンゴム等の弾性体としても良い。弛み調整部２０、４２を、ゴムや樹脂材等の弾性体とすると、巻線１２の端末２１を弛み調整部２０、４２を介して端子部１８に接続する際の端末２１にかかるテンションも緩和することができる。しかも、接続後にさらにテンションが加わる状態となっても弾性体の弾性力でそのテンションがそのまま端末２１に加わる（増加する）ことが防止され、熱衝撃に強いものとなる。
【００４３】
また、上述の第２の実施の形態では、上端面が平面状の基台１３に溶解可能な弛み調整部４２を設けたが、該平面状の基台１３に溝を設けるようにしても良い。基台１３に溝を設けた場合には、該溝に溶解後の弛み調整部４２を流し込ませ、溶解可能な弛み調整部４２を除去し易いものとなる。
【００４４】
また、上述の各実施の形態では、コイル巻枠１１、４１に設けられた端子部１８に接続された巻線１２の一端のテンションのみを弛み調整部２０、４２により軽減する場合を示したが、これに限られることはない。たとえば、図５および図６に示すように２つの端子部１８ａ、１８ｂを設け、該端子部１８ａ、１８ｂに接続された巻線１２の両端から引き出された端末２１ａ、２１ｂのテンションを弛み調整部２０と同種の弛み調整部２０ａ、２０ｂや弛み調整部４２と同種な弛み調整部４２ａ、４２ｂを用いて軽減するようにしても良い。
【００４５】
また、上述の各実施の形態では、コイル巻枠１１、４１には端子部１８を１つのみ設けたが、コイル巻枠１１、４１に端子部を追加して中間タップを形成し、その端子部に接続する端末についても弛み調整部を用いてテンションを軽減するようにしても良い。また、上述の各実施の形態では、コイル巻枠１１、４１に巻芯１４を１つ設け、その巻芯１４に１つの巻線１２を保持させたが、コイル巻枠１１、４１に巻芯１４を複数個設け、その巻芯１４に巻線１２を保持させ、それに対応するように端子部１８を設けるようにしても良い。
【００４６】
また、上述の各実施の形態では、１本からなる巻線１２を巻芯１４に巻きつけ、その端末２１を端子部１８に接続しているが、１本からなる巻線に限ることなく複数の巻線の束をねじることにより形成されるツイストコイルを用いても良い。このように複数の巻線の束から構成されたツイストコイルを用いた場合にも、ツイストコイルにテンションがかかるのが防止される。また、ツイストコイルを用いた場合、１本のコイルが切れても、他のコイルは繋がっていることとなり、コイルが完全に断線することを防止できる。
【００４７】
また、上述の各実施の形態では、弛み調整部２０、４２を基台１３の平坦部に設けているが、これに限られることない。たとえば弛み調整部２０、４２を、基台１３から突出して設けられたり、別部材として設けられる端子台等のホルダに設けたり巻芯１４を貫くコアの一部に設けるようにしても良い。
【００４８】
また、熱をかけると溶解可能な部材としてのロウ材には、銅ロウ、銀ロウ、ミツロウ、パラフィン等がある。また、熱をかけると溶解可能な部材としては、ロウやグリス以外に、ワックス、樹脂材、接着剤等も採用され得る。
【産業上の利用可能性】
【００４９】
本発明の電子部品は、各種電子機器において利用することができる。
【図面の簡単な説明】
【００５０】
【図１】本発明の第１の実施の形態に係る電子部品において弛み調整部を除去する前の状態を示す図であり、（ａ）はその正面図であり、（ｂ）はその側面図である。
【図２】本発明の第１の実施の形態に係る電子部品において弛み調整部を除去した後の状態を示す図であり、（ａ）はその正面図であり、（ｂ）はその側面図である。
【図３】本発明の第２の実施の形態に係る電子部品において弛み調整部を除去する前の状態を示す図であり、（ａ）はその正面図であり、（ｂ）はその側面図である。
【図４】本発明の第２の実施の形態に係る電子部品において弛み調整部を除去した後の状態を示す図であり、（ａ）はその正面図であり、（ｂ）はその側面図である。
【図５】本発明の第１の実施の形態に係る電子部品の変形例を示す図で、巻線の両端の端末を弛み調整部を介して接続する場合の、弛み調整部を除去する前の状態を示す図であり、（ａ）はその正面図であり、（ｂ）はその側面図である。
【図６】本発明の第２の実施の形態に係る電子部品の変形例を示す図で、巻線の両端の端末を弛み調整部を介して接続する場合の、弛み調整部を除去する前の状態を示す図であり、（ａ）はその正面図であり、（ｂ）はその側面図である。
【図７】従来の端子付き巻枠の斜視図である。
【図８】従来の端子付き巻枠の端子部周辺の拡大斜視図である。
【図９】従来の端子付き巻枠に巻線を施した際の端子付き巻枠の端子部周辺の拡大斜視図である。
【符号の説明】
【００５１】
１０、４０…電子部品
１１、４１…コイル巻枠
１２…巻線
１３…基台
１４…巻芯
１８…端子部
２０、４２…弛み調整部
２１…端末
【図１】
2005286182.tif 000003
【図２】
2005286182.tif 000004
【図３】
2005286182.tif 000005
【図４】
2005286182.tif 000006
【図５】
2005286182.tif 000007
【図６】
2005286182.tif 000008
【図７】
2005286182.tif 000009
【図８】
2005286182.tif 000010
【図９】
2005286182.tif 000011